(57)【要約】【課題】複数の建物ユニットが離し置きされてなる建物において、屋根の設置に関する自由度を高める。【解決手段】建物において、建物ユニットが離し置きされ、該離し置きにより形成された中間部分に、建物ユニットとは異なる構成の中間構造部が設けられている。この中間構造部では、離し置きされた各建物ユニットの内通りの天井大梁２２に架け渡して天井束受梁７２が設けられ、その天井束受梁７２上に、屋根材を支持するための束７３が立設されている。また、天井大梁２２には水平ブレース７６が設けられている。【選択図】      図１２
2011202440.tif 000002
【特許請求の範囲】
【請求項１】
複数の柱と該柱に連結された天井大梁及び床大梁とを有してなる建物ユニットを複数備え、前記建物ユニットが離し置きされ、該離し置きにより形成された中間部分に、前記建物ユニットとは異なる構成の中間構造部が設けられる建物であり、
前記離し置きされた各建物ユニットの内通りの天井大梁に架け渡して中間小梁が設けられ、その中間小梁上に、屋根材を支持するための束が立設されていることを特徴とする建物。
【請求項２】
前記離し置きされた各建物ユニットの内通りの天井大梁の間に天井ブレースが設けられており、
前記中間小梁は、前記天井ブレースの反力を受ける反力受け梁として機能する請求項１に記載の建物。
【請求項３】
前記天井大梁には、前記中間小梁との連結部分の付近にブラケットが取り付けられ、該ブラケットに前記天井ブレースが接続されている請求項２に記載の建物。
【発明の詳細な説明】
【技術分野】
【０００１】
本発明は、離間配置される複数の建物ユニットを有する建物に関するものである。
【背景技術】
【０００２】
複数の建物ユニットを組み合わせて構築されるユニット式建物に関する先行技術として、特許文献１が知られている。特許文献１には、建物ユニットの屋根構造に関して、建物ユニットの天井小梁に、屋根パネルを支持するための束を設けるとともに、その束をヒンジにより回動可能にした構成が開示されている。これにより、建物ユニットの輸送時における高さ方向の輸送制限を受けることなく建物の施工現場への輸送を可能とし、さらに束に関する取付作業の簡素化を可能としていた。
【先行技術文献】
【特許文献】
【０００３】
【特許文献１】特開平６−４２０５８号公報
【発明の概要】
【発明が解決しようとする課題】
【０００４】
一方で、ユニット式建物において、建物の設計自由度を高める等の目的から複数の建物ユニットを離し置きにする構成が検討されている。かかる構成では、建物としてユニット数の削減を図ることができる、建物ユニットが離し置きされた中間部分を設計自由度の高い空間として用いることができる等のメリットが得られる。この場合、複数の建物ユニットを所定の間隔を設けて配置し、その間に、建物ユニットとは異なる構造部（中間構造部）を形成して居室を設けること等が考えられる。
【０００５】
ここで、上記のとおり複数の建物ユニットを離し置きにする建物では、建物ユニットが存在しない箇所が存在するため、屋根材を支持するため束の設置箇所に制約が生じる。ゆえに、屋根の設置に関して自由度が低いという問題があった。
【０００６】
本発明は、複数の建物ユニットが離し置きされてなる建物において、屋根の設置に関する自由度を高めることを主たる目的とするものである。
【課題を解決するための手段】
【０００７】
以下、上記課題を解決するのに有効な手段等につき、必要に応じて作用、効果等を示しつつ説明する。
【０００８】
第１の発明では、複数の柱（柱２１）と該柱に連結された天井大梁（天井大梁２２）及び床大梁（床大梁２３）とを有してなる建物ユニット（建物ユニット２０）を複数備え、前記建物ユニットが離し置きされ、該離し置きにより形成された中間部分に、前記建物ユニットとは異なる構成の中間構造部（中間構造部Ｘ３）が設けられる建物であり、前記離し置きされた各建物ユニットの内通りの天井大梁に架け渡して中間小梁（天井束受梁７２）が設けられ、その中間小梁上に、屋根材を支持するための束（束７３）が立設されていることを特徴とする。
【０００９】
上記構成によれば、離し置きされた両建物ユニットの間に中間小梁が設けられているため、建物ユニット自体が存在していない中間部分においても、必要とする位置に束を設けることができる。この場合、仮に建物ごとにユニット離し置きの距離が相違しても、中間小梁に沿って束の位置変更が可能である。また、建物ユニットの有無にかかわらず束を設置できるため、通常のユニット工法と同じ位置に束を設置することが可能となる。その結果、複数の建物ユニットが離し置きされてなる建物において、屋根の設置に関する自由度を高めることができる。
【００１０】
第２の発明では、前記離し置きされた各建物ユニットの内通りの天井大梁の間に天井ブレース（水平ブレース７６）が設けられており、前記中間小梁は、前記天井ブレースの反力を受ける反力受け梁として機能する。
【００１１】
上記構成によれば、中間構造部の天井面に天井ブレースを設けたことにより、その天井面において水平構面伝達を天井ブレースを介して好適に行わせることができる。また、中間小梁は、束受け梁の機能と反力受け梁としての機能とを併せ持つため、束受け梁と反力受け梁とを各々設ける構成に比べて構成の簡素化を実現できる。
【００１２】
第３の発明では、前記天井大梁には、前記中間小梁との連結部分の付近にブラケット（ブラケット７５）が取り付けられ、該ブラケットに前記天井ブレースが接続されている。
【００１３】
上記構成によれば、天井ブレースの反力を処理する上で好適な位置に中間小梁が配置されることとなる。ゆえに、水平力に対する抵抗力を十分に発揮できる。
【図面の簡単な説明】
【００１４】
【図１】建物の概要を示す斜視図。
【図２】建物ユニットの構成を示す斜視図。
【図３】建物本体の躯体をユニット妻面側から見た正面図。
【図４】躯体の平面構成を示す平面図。
【図５】建物本体の主たる構成要素を分解して示す斜視図。
【図６】建物ユニットの天井仕口の構成を示す図。
【図７】梁連結ブラケットに中間天井梁ユニットを連結した状態を示す図。
【図８】中間天井梁ユニットの構成を示す分解斜視図。
【図９】天井仕口及び支持梁にドッキングプレートを取り付けた状態を示す図。
【図１０】下階ユニットの上に上階ユニットを設置するとともに、支持梁の上に床フレームを設置した状態を示す図。
【図１１】二階天井面における躯体の平面構成を示す平面図。
【図１２】水平ブレースの連結部を拡大して示す平面図。
【図１３】二階天井面における束の設置位置を示す平面図。
【図１４】施工現場での建物施工手順を示す説明図。
【発明を実施するための形態】
【００１５】
以下、本発明を具体化した一実施形態を図面に基づいて説明する。図１は、本実施形態における建物の概要を示す斜視図である。
【００１６】
建物１０は、複数の建物ユニットからなる２階建てユニット式建物として構築されており、特にユニット離隔配置工法を用いたものとなっている。建物１０は、基礎１１上に固定された建物本体１２と、建物本体１２の上方に設置された屋根１３とを有して構成されている。建物本体１２は、建物一側面（例えば正面）から見て左右に離し置きされた２つの建物ユニット群からなるユニット構造部Ｘ１，Ｘ２と、そのユニット構造部Ｘ１，Ｘ２の間の中間スペースに設けられた中間構造部Ｘ３とを有しており、これらの構造部Ｘ１〜Ｘ３により居室や廊下等の建物内空間が設けられている。本実施形態では、各ユニット構造部Ｘ１，Ｘ２の建物ユニット群がそれぞれ４体ずつの建物ユニット２０で構築されている。また、中間構造部Ｘ３には建物ユニット２０が設置されておらず、中間構造部Ｘ３は、ユニット構造部Ｘ１，Ｘ２の建物ユニット２０を利用して、具体的には中間構造部Ｘ３を挟んで対向する建物ユニット２０に各種建材を架け渡して構築されている。図示の構成では、建物ユニット２０がその短手方向（妻方向）に１ユニット分離間して離し置きされており、これにより、中間構造部Ｘ３が建物ユニット２０の短辺側（妻面側）の幅とほぼ同じ幅で形成されている。
【００１７】
本実施形態の建物１０では、計８体の建物ユニット２０を用いて建物本体１２が構築されているが、実質的には１０体の建物ユニット２０により構築された場合と同等の大きさの建物内空間が確保されるものとなっている。つまり、一般的なユニット式建物の場合、各建物ユニットが隣接し合う状態で互いに結合され、居室や廊下等の建物内空間は概ね全て建物ユニット内に設けられるが、本実施形態の建物１０では、建物ユニットそのものにより形成される建物内空間以外に、複数の建物ユニットで挟まれる部分にも建物内空間が形成されている。なお、ユニット構造部Ｘ１，Ｘ２のユニット個数は任意である。
【００１８】
屋根１３は寄せ棟式の屋根であり、各構造部Ｘ１〜Ｘ３に跨り、かつ建物本体１２の全体を覆うようにして設置されている。ただし、屋根１３は切り妻式の屋根や平屋根であってもよい。
【００１９】
建物ユニット２０の構成を図２を用いて説明する。建物ユニット２０は、その四隅に配設される４本の柱２１と、各柱２１の上端部及び下端部をそれぞれ連結する各４本の天井大梁２２及び床大梁２３とを備える。そして、それら柱２１、天井大梁２２及び床大梁２３により直方体状の骨格（フレーム）が形成されている。柱２１は四角筒状の角形鋼よりなる。また、天井大梁２２及び床大梁２３は断面コ字状の溝形鋼よりなり、その開口部が向き合うようにして、すなわち溝部をユニット内側に向けるようにして設置されている。
【００２０】
より詳しくは、柱２１は、柱本体２１ａと、その上下に連結された天井仕口２１ｂ及び床仕口２１ｃとからなり、天井仕口２１ｂの二方の仕口面に天井大梁２２がそれぞれ連結され、床仕口２１ｃの二方の仕口面に床大梁２３がそれぞれ連結されている。柱本体２１ａと各仕口２１ｂ，２１ｃとは、同じ断面構造を有する角形鋼が溶接により連結されて構成されている。
【００２１】
建物ユニット２０の長辺部（桁部）の相対する天井大梁２２の間には、所定間隔で複数の天井小梁２５が架け渡されて固定されている。同じく建物ユニット２０の長辺部（桁部）の相対する床大梁２３の間には、所定間隔で複数の床小梁２６が架け渡されて固定されている。天井小梁２５及び床小梁２６は、それぞれ同一の間隔でかつ短辺側（妻側）の天井大梁２２及び床大梁２３に水平に設けられている。例えば、天井小梁２５はリップ溝形鋼よりなり、床小梁２６は角形鋼よりなる。天井小梁２５によって天井面材２７が支持され、床小梁２６によって床面材２８が支持されている。
【００２２】
次に、中間構造部Ｘ３及びそれに関わる構成について説明する。図３は、建物本体１２の躯体をユニット妻面側から見た正面図であり、図４は、躯体の平面構成を示す平面図である。図４において、（ａ）には一階天井面の構成を示し、（ｂ）には一階／二階床面の構成を示している。また、図５は、建物本体１２の主たる構成要素を分解して示す斜視図である。
【００２３】
図３に示すように、ユニット構造部Ｘ１，Ｘ２では、上下二段に建物ユニット２０が積層配置されており、下階側の建物ユニット２０の天井仕口２１ｂの上方に上階側の建物ユニット２０の床仕口２１ｃが載置されるとともに、それら天井仕口２１ｂと床仕口２１ｃとが連結されることで、上下二段の建物ユニット２０同士の連結がなされている。なお、以下の説明では便宜上、一階部分の建物ユニット２０を「下階ユニット２０Ａ」、二階部分の建物ユニット２０を「上階ユニット２０Ｂ」とも称する。
【００２４】
ここで、上下方向に並ぶ建物ユニット２０同士、及び水平方向に並ぶ建物ユニット２０同士は、各建物ユニット２０の仕口２１ｂ，２１ｃにドッキングプレート２９が設置されることで連結されるようになっている。この場合、下階ユニット２０Ａ及び上階ユニット２０Ｂの境界部（一階及び二階の階間部分）では、１つのドッキングプレート２９により建物ユニット２０の上下連結がなされることに加え、水平連結がなされている。また、上階ユニット２０Ｂの上面部では、１つのドッキングプレート２９により建物ユニット２０の水平連結がなされている。こうした建物ユニット２０同士の連結手法は既存のユニット工法として知られている。
【００２５】
また、中間構造部Ｘ３は、一対のユニット構造部Ｘ１，Ｘ２に挟まれて構築されており、中間構造部Ｘ３には、その天井部を構築するための中間天井梁ユニット３１と、床部を構築するための床フレーム３２とが設けられている。
【００２６】
図３，図４（ａ）に示すように、中間天井梁ユニット３１は、中間構造部Ｘ３を挟んで対向する２つの建物ユニット２０の間に架け渡して設けられており、一階天井部と二階天井部とには同様の構成の中間天井梁ユニット３１が設けられている。中間天井梁ユニット３１は、離し置きされた両建物ユニット２０の天井仕口２１ｂにそれぞれ連結された、支持部材としての片持ち状（キャンチ構造）の支持梁３３と、一対の支持梁３３の間に設けられる中間天井梁３４とを有して構成されている。なお、一階天井部分の支持梁３３は床受け梁として機能する。中間天井梁３４は、建物ユニット２０の妻面に相当する部位に設置されるものであり、この意味からすれば天井妻梁となっている。
【００２７】
図３，図４（ｂ）に示すように、一階床部及び二階床部はそれぞれ、矩形フレーム状に形成された床フレーム３２を設置することで構成されている。ここで、一階床部分では、基礎１１の天端上に載置されることで床フレーム３２が設置されている。この場合、一階床部分の床フレーム３２は、基礎１１からその上方に延びるアンカーボルト（図示略）を利用して固定される構成となっている。これは、基礎１１に対する建物ユニット２０の固定方法と同様である。また、二階床部分では、中間天井梁ユニット３１の上に載せられることで床フレーム３２が設置されている。
【００２８】
床フレーム３２は、基本的に建物ユニット２０の床部分と同様の構成を有するものであり、その構成を図５を参照しながら説明する。図５に示すように、床フレーム３２は、その四隅に配設される４本の柱レス仕口３６と、各柱レス仕口３６をそれぞれ連結する４本の床フレーム大梁３７とを備える。そして、それら柱レス仕口３６と床フレーム大梁３７により矩形状のフレーム本体が形成され、その長辺部（桁部）の相対する床フレーム大梁３７の間に所定間隔で複数の床小梁３８が架け渡されて固定されている。床フレーム大梁３７及び床小梁３８は建物ユニット２０のそれと同じ構成を有する。すなわち、床フレーム大梁３７はユニット床大梁２３と同じ溝形鋼よりなり、その開口部が向き合うようにして設置されている。床小梁３８は床小梁２６と同じ角形鋼よりなり、その床小梁２６と同じピッチで設置されている。そして、床小梁３８によって床面材（図示略）が支持されるようになっている。
【００２９】
床フレーム３２の構成を建物ユニット２０の床部の構成と対比すると、その違いは、床仕口２１ｃの代わりに柱レス仕口３６が設けられる点である。柱レス仕口３６は、２つの床フレーム大梁３７を接合するための２つの仕口板部３６ａと、その底部に設けられた底板部３６ｂとを有する。２つの仕口板部３６ａは端部同士が直角に接合され、その頂部をユニット内側に向けて配置されている。底板部３６ｂは、床仕口２１ｃの柱脚プレート部（図１０のエンドプレート６５）に相当する部材である。
【００３０】
床フレーム３２は、基本的には建物ユニット２０の床部構成と同じ構成を有しているため、床小梁材や床面材など、床構成部の各種建材を共通化でき、部品製造の観点、施工作業性の観点からして好都合な構成となっている。
【００３１】
図３に示すように、ユニット構造部Ｘ１，Ｘ２と中間構造部Ｘ３とでは、建物ユニット２０の床大梁２３の高さ位置と、床フレーム大梁３７の高さ位置とが同じであり、それ故に、床面の高さ位置を同一にできるようになっている。また、中間構造部Ｘ３では、一階部分及び二階部分の両方において柱レス構造となっており、その分、屋内空間の拡張が可能となっている。すなわち、例えば図４のＹ部は、通常のユニット工法では４本の柱が集結する部位であるが、本建物１０では、２本の柱のみが集結する構成となっている。
【００３２】
次に、中間構造部Ｘ３において建物ユニット２０の天井仕口２１ｂとの連結部分における詳細な構成を、図６〜図１３を用いて説明する。
【００３３】
図６は、建物ユニット２０の天井仕口２１ｂの構成を示す図であり、（ａ）は平面図、（ｂ）は側面図である。天井仕口２１ｂには二方に天井大梁２２が連結されており、そのうち妻側の天井大梁２２とは反対側の仕口面には連結金具としての梁連結ブラケット４１が固定されている。梁連結ブラケット４１が固定される仕口面は、建物ユニット２０の内通り天井仕口面である。なお、天井仕口２１ｂには柱本体２１ａとの連結部（天井仕口２１ｂの下端部）において裏当て金が設けられるが、便宜上図示を省略している。
【００３４】
梁連結ブラケット４１は、略コ字状をなす鋼板により構成されており、両端部が天井仕口２１ｂの仕口面に溶接等により固定されている。梁連結ブラケット４１には、天井仕口２１ｂの仕口面に平行となる梁取付面４２が形成されており、その梁取付面４２に通じるボルト孔４３が形成されるとともに、梁取付面４２の裏側（仕口面側）にはボルト孔４３に同軸で複数個のナット４４が固定されている。
【００３５】
梁連結ブラケット４１は、ユニット製造工場において建物ユニット２０の天井仕口２１ｂに溶接固定（先付け）されるものであり、天井仕口２１ｂからの突出高さは、施工現場へのユニット輸送作業を考慮した寸法となっている。この場合、梁連結ブラケット４１は、隣接する２ユニットを結合した場合のドッキングラインＤＬを超えない突出高さを有するものとなっており、本実施形態では、梁連結ブラケット４１の突出高さを、仕口面からドッキングラインＤＬまでの寸法としている。具体的には、梁連結ブラケット４１の厚み方向の幅（張出寸法）は最大でも３０ｍｍ程度であり、これにより、当該ブラケット４１が工場先付けとされる場合にも、ユニット寸法が道路交通法の輸送制限を超えてしまうといった不都合が回避できるものとなっている。
【００３６】
なお、図６に示すドッキングラインＤＬは、実際には建物ユニット２０同士を結合させるユニット境界線ではないが、本実施形態の建物自体、既存のユニット工法を極力流用しようとするものであり、ユニット構造部Ｘ１，Ｘ２と中間構造部Ｘ３との境界部分にもドッキングラインＤＬが設定されている。
【００３７】
図６（ａ）に示すように、天井仕口２１ｂの上面部に設けられたエンドプレート４５（柱頭プレート部）には、ドッキングプレート２９を用いた建物ユニット２０同士の連結に使用するためのピン孔４６，４７が形成されている。
【００３８】
図７は、梁連結ブラケット４１に中間天井梁ユニット３１を連結した状態を示す図であり、（ａ）は平面図、（ｂ）は側面図である。図８は、中間天井梁ユニット３１の構成を示す分解斜視図である。
【００３９】
図７，図８に示すように、中間天井梁ユニット３１において、中間天井梁３４の両端には継手プレート５１を介して一対の支持梁３３が連結されている。支持梁３３及び中間天井梁３４はいずれも建物ユニット２０の天井大梁２２と同じ溝形鋼で構成され、そのウェブ部同士が継手プレート５１により連結されている。図７においては、天井仕口２１ｂの梁連結ブラケット４１に対して支持梁３３が固定され、その支持梁３３の自由端側に中間天井梁３４が連結される構成となっている。
【００４０】
ここで、継手プレート５１は、一部が中間天井梁３４からはみ出た状態で中間天井梁３４のウェブ部に溶接等により固定され、そのはみ出し部分が、支持梁３３のウェブ部に接合されてボルト５２等により固定されるようになっている。継手プレート５１の中間天井梁３４からのはみ出し部分には、しの孔５３が形成されており、現場において中間天井梁３４を組み付ける際の作業性向上が図られている。
【００４１】
継手プレート５１においてボルト５２が差し入れられるボルト挿入孔５１ａは、中間天井梁３４の長手方向に延びる長孔になっているとよい。これにより、中間天井梁３４を支持梁３３に連結した状態で、中間天井梁ユニット３１の長さの微調整が可能となっている。なお、継手プレート５１及び支持梁３３の連結部では少なくともいずれか一方のボルト挿入孔が長孔になっていればよい。
【００４２】
図示は省略しているが、中間天井梁３４には、建物ユニット２０の天井大梁２２と同様に、空調ダクト等を挿通させる梁貫通孔や、外壁パネルを固定するための外壁固定孔が形成されている。中間天井梁３４は、基本的にユニット天井大梁２２と構成が同じであるため、中間構造部Ｘ３用に新規に外壁パネルを設計することは不要であり、また、建物ユニット２０側と同様の工法で外壁パネルの設置が可能となっている。
【００４３】
支持梁３３の溝形鋼の端面部には溶接等により端面プレート５４が固定されている。この端面プレート５４は、支持梁３３を梁連結ブラケット４１の梁取付面４２に接合させるための部位であり、端面プレート５４には、梁連結ブラケット４１のボルト孔４３に通じる貫通孔５４ａが形成されている。梁連結ブラケット４１に対して支持梁３３を接合させた状態で、貫通孔５４ａ及びボルト孔４３にボルト５５が螺着されることで、梁連結ブラケット４１に支持梁３３が連結固定される。
【００４４】
支持梁３３の上側フランジ部にはベースプレート５６が設置されている。ベースプレート５６は、支持梁３３において天井仕口２１ｂのエンドプレート４５と同様の構成及び機能を持たせるものであり、天井仕口２１ｂのエンドプレート４５と同様に、ドッキングプレート２９による連結に使用するためのピン孔５７，５８が形成されている。一方、支持梁３３の上側フランジ部には、ベースプレート５６のピン孔５７に対応する位置にピン孔５９が形成されている。そして、支持梁３３の上側フランジ部にベースプレート５６が固定されるとともに、支持梁３３のピン孔５９とベースプレート５６のピン孔５７とに下方からスタッキングピン６１が挿通され固定されている。一方、天井仕口２１ｂのエンドプレート４５には、上方に延びる向きでスタッキングピン６２が取り付けられている（これは従来同様）。
【００４５】
図７に示す構成では、支持梁３３上のベースプレート５６の上面と、天井仕口２１ｂのエンドプレート４５の上面とが同じ高さとなっている。また、ドッキングラインＤＬを挟んで対称位置に２つのスタッキングピン６１，６２が設置されており、ドッキングラインＤＬからの距離Ｌ１，Ｌ２はＬ１＝Ｌ２となっている。
【００４６】
本実施形態においては、構造力学上は支持梁３３がその上部構造（床フレーム３２等）の荷重を梁連結ブラケット４１を介して隣接するユニット柱に伝達するものとなっている。
【００４７】
図９は、天井仕口２１ｂ及び支持梁３３にドッキングプレート２９を取り付けた状態を示す図であり、（ａ）は平面図、（ｂ）は側面図である。
【００４８】
ドッキングプレート２９は、支持梁３３上のベースプレート５６と天井仕口２１ｂのエンドプレート４５とのほぼ全体を覆う大きさを有し、下方に向けて突出する一対のスタッキングピン６３，６４が取り付けられている。そして、ベースプレート５６とエンドプレート４５との上にドッキングプレート２９が設置され、その際、ドッキングプレート２９のスタッキングピン６３，６４が天井仕口２１ｂのピン孔４７とベースプレート５６のピン孔５８とに差し込まれるようになっている。この場合、ドッキングラインＤＬを挟んで対称位置に２つのスタッキングピン６３，６４が設置される構成となっており、ドッキングラインＤＬからの距離Ｌ３，Ｌ４はＬ３＝Ｌ４となっている。
【００４９】
図１０は、下階ユニット２０Ａの上に上階ユニット２０Ｂを設置するとともに、支持梁３３の上に床フレーム３２を設置した状態を示す図であり、（ａ）は平面図、（ｂ）は側面図である。
【００５０】
図１０に示すように、支持梁３３の上方であってドッキングプレート２９上には床フレーム３２が設置されている。この場合詳しくは、床フレーム３２の柱レス仕口３６がドッキングプレート２９上に設置されるとともに、柱レス仕口３６の底板部３６ｂに形成されたピン孔３６ｃにスタッキングピン６１が差し込まれている。また、複数箇所でのボルト６７の締結により、床フレーム３２が支持梁３３に対して固定されている。これにより、建物ユニット２０の天井仕口２１ｂに接続された支持梁３３に床フレーム３２が接合される構成となっている。
【００５１】
一方、下階ユニット２０Ａの上方であってドッキングプレート２９上には上階ユニット２０Ｂが設置されている。この場合詳しくは、上階ユニット２０Ｂの床仕口２１ｃがドッキングプレート２９上に設置されるとともに、床仕口２１ｃのエンドプレート６５に形成されたピン孔６５ａにスタッキングピン６２が差し込まれている。また、複数箇所でのボルト６８の締結により、上階ユニット２０Ｂが下階ユニット２０Ａに対して固定されている。なお、柱レス仕口３６の底板部３６ｂのピン孔３６ｃと、床仕口２１ｃのエンドプレート６５のピン孔６５ａとは、ドッキングラインＤＬを挟んで対称位置に設けられている。
【００５２】
ここで、一階天井面においては床フレーム３２が配置されることで、建物１０に水平力が入力された時に水平構面伝達を二階の床フレーム３２で処理することが可能であるが、二階天井面においては床フレーム３２が設置されていない。そこで本実施形態では、二階天井面での水平力を処理するべく建物ユニット間に水平ブレース７６が配置されている。
【００５３】
図１１は、二階天井面における躯体の平面構成を示す平面図であり、図１２は、水平ブレース７６の連結部を拡大して示す平面図である。
【００５４】
図１１，図１２に示すように、建物ユニット２０（上階ユニット２０Ｂ）の天井大梁２２のウェブ外側面には、天井大梁２２の長手方向の中間位置にブラケット７１を介して天井束受梁７２が連結されている。天井束受梁７２は例えば溝形鋼よりなる。天井束受梁７２は、中間構造部Ｘ３において、対向配置される建物ユニット２０の間に架け渡して設けられている。
【００５５】
また、天井束受梁７２には、屋根を支持するための束７３が立設されている。詳しくは、建物ユニット２０の天井大梁２２と天井束受梁７２との上面には、それら両者に跨るようにしてベースプレート７４が固定され、そのベースプレート７４の上面に束７３が固定されている。この場合、束７３はドッキングラインＤＬ上に立設される構成となっている。図１３は二階天井面における束７３の設置位置を示す平面図であり、同図では束７３の設置位置をＴとしている。本実施形態の場合、二階天井面において計６カ所に束７３が設けられている。天井束受梁７２や束７３の位置は、離し置きされる両建物ユニット２０の間隔に合わせて決定されるとよい。
【００５６】
二階天井面には水平ブレース７６が設けられている。詳しくは、建物ユニット２０の天井大梁２２のウェブ外側面には複数箇所にブラケット７５が固定されており、そのブラケット７５を被支持端部として水平ブレース７６がＸ字状に配設されている。水平ブレース７６はボルト接合によりブラケット７５に対して固定されている。本実施形態では、天井大梁２２において天井仕口２１ｂ付近と天井束受梁７２付近とにブラケット７５が設けられ、一対二組の対向配置ユニットの間に、それぞれ二組ずつの水平ブレース７６が配設されている。本構成では、水平ブレース７６により二階天井面の水平構面伝達力が確保されている。なお、水平ブレース７６には、張力を調整する調整機構としてのターンバックル７７が取り付けられている。
【００５７】
図１１に示すように、二階天井面において各一対の建物ユニット２０で挟まれた中間部分はそれぞれ複数に分割されており、その分割領域ごとに略対角線状に水平ブレース７６が配置されている。天井束受梁７２は、水平ブレース７６の反力を受ける反力受梁としての機能を有している。なお、水平ブレース７６の位置は、離し置きされる両建物ユニット２０の間隔に合わせて決定されるとよい。
【００５８】
次に、本実施形態における建物１０について施工現場での施工手順について説明する。図１４は、施工現場での建物施工手順を示す説明図である。
【００５９】
設置現場での施工に際し、図１４（ａ）に示すように、まずは、基礎１１上に一階用の床フレーム３２を設置するとともに、床フレーム３２を挟んでその両側に複数の下階ユニット２０Ａを離し置きする。このとき、中間構造部Ｘ３に隣接することになる下階ユニット２０Ａについては、内通り天井仕口面に梁連結ブラケット４１が位置するように配置する。なお、梁連結ブラケット４１はユニット製造工場にて先付けされている。下階ユニット２０Ａ及び一階用の床フレーム３２の設置に際してはこれらをアンカーボルトにより基礎１１に対して固定する。下階ユニット２０Ａ及び床フレーム３２の設置順序は任意である。そして、床フレーム３２上に床面材等を適宜設置する。
【００６０】
次に、図１４（ｂ）に示すように、対向配置された下階ユニット２０Ａの天井仕口２１ｂの間に架け渡すようにして中間天井梁ユニット３１を設置する。このとき、中間天井梁ユニット３１を構成する支持梁３３と中間天井梁３４とのうち、支持梁３３を先に梁連結ブラケット４１に対して固定し、その後、離間配置された一対の支持梁３３に対して中間天井梁３４を固定する。そして、天井仕口２１ｂ及び支持梁３３（詳しくはベースプレート５６）に対してドッキングプレート２９を取り付ける。
【００６１】
その後、図１４（ｃ）に示すように、一階天井部分の中間天井梁ユニット３１の上に二階用の床フレーム３２を設置する。このとき、床フレーム３２の荷重は実質的に支持梁３３にて支えられる。そして、床フレーム３２上に床面材等を適宜設置する。
【００６２】
その後、図１４（ｄ）に示すように、下階ユニット２０Ａの上に上階ユニット２０Ｂを設置する。
【００６３】
その後、図１４（ｅ）に示すように、対向配置された上階ユニット２０Ｂの天井仕口２１ｂの間に架け渡すようにして中間天井梁ユニット３１を設置する。このとき、中間天井梁ユニット３１を構成する支持梁３３と中間天井梁３４とのうち、支持梁３３を先に梁連結ブラケット４１に対して固定し、その後、離間配置された一対の支持梁３３に対して中間天井梁３４を固定する。
【００６４】
また、図１４（ｆ）に示すように、二階天井面において、対向配置された上階ユニット２０Ｂの天井大梁２２の間に天井束受梁７２を取り付けるとともに、天井大梁２２及び天井束受梁７２により囲まれた水平面内に水平ブレース７６を取り付ける（図１１参照）。なお、水平ブレース７６を取り付けるためのブラケット７５はユニット製造工場にて先付けされている。さらに、天井束受梁７２の上に束７３を立設するとともに、天井束受梁７２上の束７３に支持させた状態で屋根材７８を設置する。こうした作業により、ユニット離隔配置工法の建物１０が構築される。
【００６５】
以上詳述した本実施形態によれば、以下の優れた効果が得られる。
【００６６】
離し置きされた各建物ユニット２０の内通りの天井大梁２２に架け渡して天井束受梁７２を設け、その天井束受梁７２上に、屋根材を支持するための束７３を立設したため、建物ユニット自体が存在していない中間部分においても、必要とする位置に束７３を設けることができる。この場合、仮に建物ごとにユニット離し置きの距離が相違しても、天井束受梁７２に沿って束７３の位置変更が可能である。また、建物ユニット２０の有無にかかわらず束７３を設置できるため、通常のユニット工法と同じ位置（例えばドッキングライン上）に束７３を設置することが可能となる。その結果、複数の建物ユニット２０が離し置きされてなる建物において、屋根の設置に関する自由度を高めることができる。
【００６７】
天井束受梁７２は、束受け梁として機能することに加え、中間構造部Ｘ３の二階天井面に設けられた水平ブレース７６の反力を受ける反力受け梁として機能するため、束受け梁と反力受け梁とを各々設ける構成に比べて構成の簡素化を実現できる。
【００６８】
建物ユニット２０の天井大梁２２において天井束受梁７２との連結部分の付近にブラケット７５を取り付け、該ブラケット７５に水平ブレース７６を接続する構成としたため、水平ブレース７６の反力を処理する上で好適な位置に天井束受梁７２を配置できる。ゆえに、水平力に対する抵抗力を十分に発揮できる。
【００６９】
また、中間構造部Ｘ３の二階天井面に水平ブレース７６を設けたことの効果として、その二階天井面において水平構面伝達を水平ブレース７６を介して好適に行わせることができる。
【００７０】
また、本実施形態の建物１０では、対向配置される建物ユニット２０の天井仕口２１ｂに中間スペース側（ユニット離し置き部分）に延びる向きで支持梁３３を設け、その支持梁３３により、中間構造部Ｘ３を構成する床フレーム３２を支持する構成とした。この場合、支持梁３３は、床フレーム３２を支持する上で固定荷重及び積載荷重に対する大きさ及び強度を有していれば足り、建物ユニット２０や中間構造部Ｘ３の大きさに依存しないものとなっている。ゆえに、ユニット天井大梁に沿って延びる連結梁（ジョイントビーム）により床パネルを固定する従来技術と対比すると、同従来技術では、建物ユニット２０の大きさに合う長さの連結梁を用意する必要があるのに対し、本実施形態では、建物ユニット２０の大きさに関係なく共通の支持梁３３を用いることが可能となる。その結果、ユニット離隔配置工法の建物１０において、中間構造部Ｘ３を構築する上での施工作業性を大いに向上させることができる。
【００７１】
対向配置された各建物ユニット２０の内通りに支持梁３３を片持ち梁としてそれぞれ設け、それら各支持梁３３に跨る状態で床フレーム３２を設置する構成としたため、中間構造部Ｘ３における強度計算は支持梁３３について行われればよく、構造設計を容易に実施できる。また、支持梁３３は、建物ユニット２０の柱２１ごとに設けられ、換言すれば柱２１の数だけ用意されれば足りるものである。ゆえに、柱２１の数以上に支持梁３３を用意する必要はなく、中間構造部Ｘ３を構築する上での構成の簡素化を図ることが可能となる。
【００７２】
［他の実施形態］
本発明は上記実施形態の記載内容に限定されず、例えば次のように実施されてもよい。
【００７３】
・上記実施形態では、離し置きされた建物ユニット２０の内通りの天井大梁２２に２種類のブラケット７１，７５を固定し、そのうちブラケット７１により天井束受梁７２を固定するとともに、ブラケット７５により水平ブレース７６を固定したが、これを変更し、共通のブラケットを用い、その共通のブラケットにより天井束受梁７２と水平ブレース７６とを一緒に固定する構成であってもよい。
【００７４】
・上記実施形態では、中間構造部Ｘ３の二階天井面において天井束受梁７２に交差することなく水平ブレース７６を配置したが、これを変更し、天井束受梁７２に交差するように水平ブレースを配置することも可能である。
【００７５】
・離し置きされる建物ユニットの間を連結する中間小梁（天井束受梁７２）に、ユニット製造工場にてあらかじめブレース材や束を連結しておく構成でもよい。この場合、中間小梁に対してブレース材や束が一体化された状態で、その一体物がトラック等により施工現場に輸送される。
【００７６】
・本発明が適用される建物は、上述した構成の建物１０に限定されない。例えば、多層階建物に代えて、平屋建物に適用されてもよい。
【符号の説明】
【００７７】
１０…建物、１２…建物本体、２０…建物ユニット、２１…柱、２２…天井大梁、２３…床大梁、７２…天井束受梁（中間小梁）、７５…ブラケット、７６…水平ブレース、ＤＬ…ドッキングライン（ユニット境界線）、Ｘ１，Ｘ２…ユニット構造部、Ｘ３…中間構造部。
【図１】
2011202440.tif 000003
【図２】
2011202440.tif 000004
【図３】
2011202440.tif 000005
【図４】
2011202440.tif 000006
【図５】
2011202440.tif 000007
【図６】
2011202440.tif 000008
【図７】
2011202440.tif 000009
【図８】
2011202440.tif 000010
【図９】
2011202440.tif 000011
【図１０】
2011202440.tif 000012
【図１１】
2011202440.tif 000013
【図１２】
2011202440.tif 000014
【図１３】
2011202440.tif 000015
【図１４】
2011202440.tif 000016